(57)【要約】【課題】電源コンセントを占有せずに通信機器による同軸ケーブル通信を可能とする。【解決手段】ハウジング１の背面には屋内配線の同軸ケーブルが接続される同軸レセプタクルコネクタ４が露設されるとともに、屋内配線の電力線が挿入される一対の電力線挿入孔１ｂ，１ｂが設けられており、電力線挿入孔１ｂ，１ｂに挿入された電力線が端子部５に接続される。電源部１１が端子部５を介して外部から供給される交流電力より直流電力を作成して通信インタフェース部６に電源供給を行うため、別途電力供給用の配線を行う必要が無く、電力線との接続用に電源コンセントを占有せずに同軸ケーブル通信を行うことができる。【選択図】図１
2007103133.tif 000002
【特許請求の範囲】
【請求項１】
造営面に設けられた埋込孔に後端部を埋め込む形で埋込配設される略箱形のハウジングと、ハウジングに設けられ屋内配線の電力線が接続される端子部と、ハウジングに設けられ屋内配線の同軸ケーブルが接続される同軸ケーブル接続部と、ハウジング内に収納され同軸ケーブル接続部に接続された同軸ケーブルを介して通信用の信号を変復調する通信用モデムと、ハウジング内に収納され通信用モデムと通信機器とのインタフェースを行う通信インタフェースと、ハウジングの表面に設けられ通信機器と通信インタフェースとを接続する通信ケーブルが挿抜自在に挿着される１乃至複数の通信用コネクタと、ハウジング内に収納され電力線を介して供給される交流電源から通信用モデム並びに通信インタフェースの動作電源を作成する電源部とを備え、ハウジングは、埋込型の配線器具用に規格化されている取付枠を用いて造営面に埋込配設されることを特徴とする同軸ケーブル通信用配線器具。
【請求項２】
ハウジング前面に設けられハウジング内で同軸ケーブルと接続された１乃至複数の同軸レセプタクルコネクタを備えたことを特徴とする請求項１記載の同軸ケーブル通信用配線器具。
【請求項３】
ハウジングは、２連の取付枠を用いて造営面に埋込配設されることを特徴とする請求項１又は２記載の同軸ケーブル通信用配線器具。
【発明の詳細な説明】
【技術分野】
【０００１】
本発明は、オフィスや住宅等の屋内に配線された同軸ケーブルを利用してデータ通信を行うための同軸ケーブル通信用配線器具に関するものである。
【背景技術】
【０００２】
近年、オフィスや住宅においても複数台のコンピュータをつないだローカル・エリア・ネットワーク（ＬＡＮ）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して電波による無線方式が採用される場合もある。また、最近の住宅（戸建て住宅及び集合住宅の双方を含む。）では、テレビジョン放送受信用に屋内配線（同軸ケーブル）が先行配線され、壁に設けられたテレビコンセントに同軸ケーブルを介してテレビ受像機を接続することでテレビジョン放送の視聴が可能となっているが、同軸ケーブルの屋内配線を伝送路に利用するデータ通信サービス（いわゆる「ＣＡＴＶインターネット」）がＣＡＴＶ事業者によって提供されて広く普及してきている。前記データ通信サービスを利用するに当たっては、同軸ケーブルを介して通信用の信号を変復調する通信用モデム（一般にケーブルモデムと呼ばれる。）が必要となり、同時ケーブルを介してテレビコンセントに接続されたケーブルモデムをＬＡＮケーブルを介して需要者側の通信機器（主にパーソナルコンピュータ）と接続する必要がある。
【０００３】
一方、同軸ケーブルの屋内配線をデータ通信の伝送路に利用することを前提として、前記ケーブルモデムの機能を内蔵したテレビコンセントが提案されている（例えば、特許文献１参照）。なお、以下では前記ＣＡＴＶインターネットを含めて同軸ケーブルの屋内配線を伝送路に利用するデータ通信を「同軸ケーブル通信」と呼ぶことにする。
【特許文献１】特開２００２−１９９５４１号公報
【発明の開示】
【発明が解決しようとする課題】
【０００４】
ところで、特許文献１に記載されているものではケーブルモデムの機能を利用するために外部から電源を供給する必要があり、そのために電源供給用のコネクタが設けられていた。しかしながら、電源供給用のコネクタにＡＣアダプタなどの電源装置を接続すると配線が邪魔になったり、さらには電源供給用に電源コンセントが占有されてしまうと、パーソナルコンピュータや他の機器の電源を確保することが困難になるという問題があった。
【０００５】
本発明は上記事情に鑑みてなされたものであり、その目的は、電源コンセントを占有せずに通信機器による同軸ケーブル通信が可能である同軸ケーブル通信用配線器具を提供することにある。
【課題を解決するための手段】
【０００６】
請求項１の発明は、上記目的を達成するために、造営面に設けられた埋込孔に後端部を埋め込む形で埋込配設される略箱形のハウジングと、ハウジングに設けられ屋内配線の電力線が接続される端子部と、ハウジングに設けられ屋内配線の同軸ケーブルが接続される同軸ケーブル接続部と、ハウジング内に収納され同軸ケーブル接続部に接続された同軸ケーブルを介して通信用の信号を変復調する通信用モデムと、ハウジング内に収納され通信用モデムと通信機器とのインタフェースを行う通信インタフェースと、ハウジングの表面に設けられ通信機器と通信インタフェースとを接続する通信ケーブルが挿抜自在に挿着される１乃至複数の通信用コネクタと、ハウジング内に収納され電力線を介して供給される交流電源から通信用モデム並びに通信インタフェースの動作電源を作成する電源部とを備え、ハウジングは、埋込型の配線器具用に規格化されている取付枠を用いて造営面に埋込配設されることを特徴とする。
【０００７】
請求項２の発明は、請求項１の発明において、ハウジング前面に設けられハウジング内で同軸ケーブルと接続された１乃至複数の同軸レセプタクルコネクタを備えたことを特徴とする。
【０００８】
請求項３の発明は、請求項１又は２の発明において、ハウジングは、２連の取付枠を用いて造営面に埋込配設されることを特徴とする。
【発明の効果】
【０００９】
請求項１の発明によれば、端子部に接続された屋内配線の電力線を介して供給される交流電源から電源部が通信用モデム並びに通信インタフェースの動作電源を作成するので、既存の電源コンセントを占有せずに同軸ケーブル通信が可能になり、しかも、別途電力供給用の配線を行う必要がない。
【００１０】
請求項２の発明によれば、同軸ケーブルを送り配線することができる。
【発明を実施するための最良の形態】
【００１１】
本実施形態の同軸ケーブル通信用配線器具は、図１〜図３に示すように壁面などの造営面に設けられた埋込孔に後端部を埋め込む形で埋込配設される略箱形のハウジング１を備え、取付枠２０に着脱自在に取り付けられる。但し、以下の説明では図１（ａ）を基準として上下左右の向きを規定し、紙面に垂直な方向を前後方向と規定する。
【００１２】
取付枠２０は、ＪＩＳ  Ｃ  ８３３６で規格化されている２個用のスイッチボックスに取り付けられる２連の取付枠（ＪＩＳ  Ｃ  ８３７５で規格化されている大角形連用配線器具の取付枠）であって、ハウジング１の左右両側面の前端部に突設されたそれぞれ２対（合計４対）の係止爪１ａを縦枠片２１，２１に設けられた係止孔２１ａに各々係止することでハウジング１が取り付けられるものである。
【００１３】
ハウジング１は略箱形の合成樹脂成型品からなり、前面の略中央には通信ケーブル（ＣＡＴ５のＬＡＮケーブル）の先端に付設されているコネクタ（ＲＪ−４５のモジュラプラグ）が挿抜自在に接続される受け側コネクタ（ＲＪ−４５のモジュラジャック２）が露出し、さらに後述するようにハウジング１内で屋内配線の同軸ケーブル（図示せず）と接続された送り用同軸レセプタクルコネクタ３がモジュラジャック２の上方に露出している。なお、モジュラジャック２は、モジュラプラグの差込口を開閉自在に塞ぐ扉２ａを具備しており、モジュラプラグが接続されていない状態では差込口が扉２ａで閉塞されることにより塵埃等の異物が内部に侵入しないようになっている。
【００１４】
また、ハウジング１の背面には屋内配線の同軸ケーブルが接続される同軸レセプタクルコネクタ４が露設されるとともに、屋内配線の電力線が挿入される一対の電力線挿入孔１ｂ，１ｂが設けられており、電力線挿入孔１ｂ，１ｂに挿入された電力線が端子部５に接続される。端子部５は従来周知のねじなし端子（いわゆる速結端子）からなり、単線からなる電力線を電力線挿入孔１ｂに挿入することで鎖錠ばね（図示せず）により端子板（図示せず）と結線され、電力線挿入孔１ｂ，１ｂの近傍に設けられている操作孔１ｃから工具（例えば、マイナスドライバ）を挿入して解除釦（図示せず）を操作すれば鎖錠ばねによる端子板との結線状態が解除されて電力線を外すことができるようになっている。但し、かかる速結端子の構造は従来周知であるから詳細な構造の図示並びに説明は省略する。
【００１５】
図４は同軸ケーブル通信用配線器具の回路構成を示すブロック図である。速結端子からなる端子部５にはＡＣ／ＤＣコンバータからなる電源部１１が接続されている。また、同軸レセプタクルコネクタ４を介して屋内配線の同軸ケーブルと接続された同軸線路を分岐分配する分岐分配部１２が設けられ、一方の同軸線路には送り用同軸レセプタクルコネクタ３が接続され、さらに他方の同軸線路には通信インタフェース部６が接続されている。
【００１６】
通信インタフェース部６は、同軸線路を介して同軸ケーブル通信用の信号（以下、通信信号と呼ぶ。）を送受信するための送受信部７と、所定形式の通信信号からデータ信号を復調する復調機能並びにパーソナルコンピュータなどの通信機器側の送信データを所定形式の通信信号に変調する変調機能を有するケーブルモデム８と、モジュラジャック２に接続される通信ケーブル（ＬＡＮケーブル）を介して通信機器との間で１００ＢＡＳＥ−ＴＸなどの規格に準拠してデータ伝送を行うためのＬＡＮコントローラ９と、ＣＰＵを主構成要素とし、通信インタフェース部６全体の制御を行う制御部１０とを具備する。制御部１０は、例えばケーブルモデム８とＬＡＮコントローラ９との間で授受するデータ（パケット）のフィルタリングなどのセキュリティ機能等を有している。なお、通信インタフェース部６は電源部１１で作成される直流電源によって動作する。
【００１７】
而して、本実施形態の同軸ケーブル通信用配線器具は、造営面（壁面）の裏側で端子部５により電力線と接続され、電源部１１が端子部５を介して外部から供給される交流電力より直流電力を作成して通信インタフェース部６に電源供給を行うため、別途電力供給用の配線を行う必要が無く、電力線との接続用に電源コンセントを占有せずに同軸ケーブル通信を行うことができる。また、本実施形態では、ハウジング１の前面に設けられハウジング１内で屋内配線の同軸ケーブルと接続された送り用同軸レセプタクルコネクタ３を備えているので、同軸ケーブルを送り配線することができる。なお、本実施形態では通信用コネクタたるモジュラジャック２と同軸レセプタクルコネクタ４をそれぞれ１つずつしか備えていないが、モジュラジャック２及び同軸レセプタクルコネクタ４の一方又は双方を複数備えるようにしても構わない。特に、ＬＡＮコントローラ９に対して並列接続された複数のモジュラジャック２を具備することで集線装置（ハブ）としても機能することが可能となり、複数のモジュラジャック２に接続される通信ケーブルを介してパーソナルコンピュータ等の複数の通信機器により同軸ケーブル通信を行うことができるという利点がある。
【図面の簡単な説明】
【００１８】
【図１】本発明の実施形態を示し、（ａ）は正面図、（ｂ）は背面図、（ｃ）は下面図である。
【図２】同上と取付枠の前方から見た斜視図である。
【図３】同上の後方から見た斜視図である。
【図４】同上の回路ブロック図である。
【符号の説明】
【００１９】
１  ハウジング
２  モジュラジャック
３  送り用同軸レセプタクルコネクタ
４  同軸レセプタクルコネクタ
５  端子部
６  通信インタフェース部
７  送受信部
８  ケーブルモデム
９  ＬＡＮコントローラ
１１  電源部
【図１】
2007103133.tif 000003
【図２】
2007103133.tif 000004
【図３】
2007103133.tif 000005
【図４】
2007103133.tif 000006